(57)【要約】【課題】効率的にフレキシブルサブフレームを設定すること。【解決手段】単一のセルで時分割複信方式を用いて移動局装置と通信する基地局装置において、フレーム内における第１のサブフレームと第２のサブフレームと第３のサブフレームの配置を指示する第１の情報と、前記フレーム内における前記第１のサブフレームと前記第２のサブフレームと前記第３のサブフレームと第４のサブフレームの配置を指示する第２の情報を前記移動局装置に送信する送信部を備える。【選択図】図８
2014033326.tif 000002
【特許請求の範囲】
【請求項１】
単一のセルで時分割複信方式を用いて移動局装置と通信する基地局装置において、
フレーム内における第１のサブフレームと第２のサブフレームと第３のサブフレームの配置を指示する第１の情報と、前記フレーム内における前記第１のサブフレームと前記第２のサブフレームと前記第３のサブフレームと第４のサブフレームの配置を指示する第２の情報を前記移動局装置に送信する送信部を備え、
前記第１のサブフレームは、下りリンク送信のために予約され、
前記第２のサブフレームは、上りリンク送信のために予約され、
前記第３のサブフレームは、下りリンク送信のために予約されるフィールドと上りリンク送信のために予約されるフィールドとガードピリオドのフィールドを含み、
前記第４のサブフレームは、上りリンク送信および下りリンク送信のために予約されるサブフレームである
ことを特徴とする基地局装置。
【請求項２】
前記送信部は、前記第２の情報の受信を指示する第３の情報を送信する
請求項１に記載の基地局装置。
【請求項３】
前記送信部は、前記フレーム内に前記第４のサブフレームが含まれない場合は、前記第２の情報および／または前記第３の情報を送信しない
請求項１または２に記載の基地局装置。
【請求項４】
前記送信部は、前記第２の情報において変更が発生したかどうかを指示する第４の情報と前記第１の情報を含むメッセージを送信する
請求項１から３の何れかに記載の基地局装置。
【請求項５】
前記送信部は、前記第２の情報に変更が発生したことを指示する第５の情報を送信する
請求項１から３の何れかに記載の基地局装置。
【請求項６】
単一のセルで時分割複信方式を用いて移動局装置と通信する基地局装置に用いられる無線通信方法において、
フレーム内における第１のサブフレームと第２のサブフレームと第３のサブフレームの配置を指示する第１の情報と、前記フレーム内における前記第１のサブフレームと前記第２のサブフレームと前記第３のサブフレームと第４のサブフレームの配置を指示する第２の情報を前記移動局装置に送信し、
前記第１のサブフレームは、下りリンク送信のために予約され、
前記第２のサブフレームは、上りリンク送信のために予約され、
前記第３のサブフレームは、下りリンク送信のために予約されるフィールドと上りリンク送信のために予約されるフィールドとガードピリオドのフィールドを含み、
前記第４のサブフレームは、上りリンク送信および下りリンク送信のために予約されるサブフレームである
ことを特徴とする無線通信方法。
【請求項７】
単一のセルで時分割複信方式を用いて移動局装置と通信する基地局装置に実装される集積回路において、
フレーム内における第１のサブフレームと第２のサブフレームと第３のサブフレームの配置を指示する第１の情報と、前記フレーム内における前記第１のサブフレームと前記第２のサブフレームと前記第３のサブフレームと第４のサブフレームの配置を指示する第２の情報を前記移動局装置に送信する機能を、前記基地局装置に発揮させ、
前記第１のサブフレームは、下りリンク送信のために予約され、
前記第２のサブフレームは、上りリンク送信のために予約され、
前記第３のサブフレームは、下りリンク送信のために予約されるフィールドと上りリンク送信のために予約されるフィールドとガードピリオドのフィールドを含み、
前記第４のサブフレームは、上りリンク送信および下りリンク送信のために予約されるサブフレームである
ことを特徴とする集積回路。
【請求項８】
単一のセルで時分割複信方式を用いて基地局装置と通信する移動局装置において、
フレーム内における第１のサブフレームと第２のサブフレームと第３のサブフレームの配置を指示する第１の情報と、前記フレーム内における前記第１のサブフレームと前記第２のサブフレームと前記第３のサブフレームと第４のサブフレームの配置を指示する第２の情報を前記基地局装置から受信する受信部と、
前記第１の情報または前記第２の情報に基づいて前記サブフレームを設定する設定部と、を備え、
前記第１のサブフレームは、下りリンク送信のために予約され、
前記第２のサブフレームは、上りリンク送信のために予約され、
前記第３のサブフレームは、下りリンク送信のために予約されるフィールドと上りリンク送信のために予約されるフィールドとガードピリオドのフィールドを含み、
前記第４のサブフレームは、上りリンク送信または下りリンク送信のために予約されるサブフレームである
ことを特徴とする移動局装置。
【請求項９】
前記受信部は、前記第２の情報の受信を指示する第３の情報を受信する
請求項８に記載の移動局装置。
【請求項１０】
前記受信部は、前記第３の情報を受信していない場合は、前記第２の情報を受信しない、または、前記設定部に前記第２の情報を出力しない
請求項９に記載の移動局装置。
【請求項１１】
前記受信部は、前記第２の情報に変更が発生したかどうかを指示する第４の情報と前記第１の情報を含むメッセージを受信する
請求項８から１０の何れかに記載の移動局装置。
【請求項１２】
前記受信部は、前記第２の情報において変更が発生したことを指示する第５の情報を受信する
請求項８から１０の何れかに記載の移動局装置。
【請求項１３】
前記受信部は、前記第２の情報において変更が発生したことを指示する前記第４の情報、または、前記第５の情報を受信した場合に、前記第２の情報の受信を試みる
請求項１１または１２に記載の移動局装置。
【請求項１４】
単一のセルで時分割複信方式を用いて基地局装置と通信する移動局装置に用いられる無線通信方法において、
フレーム内における第１のサブフレームと第２のサブフレームと第３のサブフレームの配置を指示する第１の情報と、前記フレーム内における前記第１のサブフレームと前記第２のサブフレームと前記第３のサブフレームと第４のサブフレームの配置を指示する第２の情報を前記基地局装置から受信し、
前記第１の情報または前記第２の情報に基づいて前記サブフレームを設定し、
前記第１のサブフレームは、下りリンク送信のために予約され、
前記第２のサブフレームは、上りリンク送信のために予約され、
前記第３のサブフレームは、下りリンク送信のために予約されるフィールドと上りリンク送信のために予約されるフィールドとガードピリオドのフィールドを含み、
前記第４のサブフレームは、上りリンク送信または下りリンク送信のために予約されるサブフレームである
ことを特徴とする無線通信方法。
【請求項１５】
単一のセルで時分割複信方式を用いて基地局装置と通信する移動局装置に実装される集積回路において、
フレーム内における第１のサブフレームと第２のサブフレームと第３のサブフレームの配置を指示する第１の情報と、前記フレーム内における前記第１のサブフレームと前記第２のサブフレームと前記第３のサブフレームと第４のサブフレームの配置を指示する第２の情報を前記基地局装置から受信する機能と、
前記第１の情報または前記第２の情報に基づいて前記サブフレームを設定する機能と、を前記移動局装置に発揮させ、
前記第１のサブフレームは、下りリンク送信のために予約され、
前記第２のサブフレームは、上りリンク送信のために予約され、
前記第３のサブフレームは、下りリンク送信のために予約されるフィールドと上りリンク送信のために予約されるフィールドとガードピリオドのフィールドを含み、
前記第４のサブフレームは、上りリンク送信または下りリンク送信のために予約されるサブフレームである
ことを特徴とする集積回路。
【請求項１６】
単一のセルで時分割複信方式を用いて移動局装置と通信する基地局装置において、
フレーム内における第１のサブフレームと第２のサブフレームと第３のサブフレームの配置を指示する第１の情報と、前記フレーム内において第４のサブフレームの有効を指示する第６の情報を前記移動局装置に送信する送信部を備え、
前記第１のサブフレームは、下りリンク送信のために予約され、
前記第２のサブフレームは、上りリンク送信のために予約され、
前記第３のサブフレームは、下りリンク送信のために予約されるフィールドと上りリンク送信のために予約されるフィールドとガードピリオドのフィールドを含み、
前記第４のサブフレームは、上りリンク送信および下りリンク送信のために予約されるサブフレームである
ことを特徴とする基地局装置。
【請求項１７】
前記第６の情報は、前記フレーム内において特定の番号の前記第１のサブフレームが第４のサブフレームとして有効であることを指示する
請求項１６の基地局装置。
【請求項１８】
前記第６の情報は、前記フレーム内において特定の番号の前記第２のサブフレームが第４のサブフレームとして有効であることを指示する
請求項１６の基地局装置。
【請求項１９】
前記第６の情報は、さらに、前記特定の番号を指示する
請求項１７または１８に記載の基地局装置。
【請求項２０】
単一のセルで時分割複信方式を用いて移動局装置と通信する基地局装置に用いられる無線通信方法において、
フレーム内における第１のサブフレームと第２のサブフレームと第３のサブフレームの配置を指示する第１の情報と、前記フレーム内において第４のサブフレームの有効を指示する第６の情報を前記移動局装置に送信し、
前記第１のサブフレームは、下りリンク送信のために予約され、
前記第２のサブフレームは、上りリンク送信のために予約され、
前記第３のサブフレームは、下りリンク送信のために予約されるフィールドと上りリンク送信のために予約されるフィールドとガードピリオドのフィールドを含み、
前記第４のサブフレームは、上りリンク送信および下りリンク送信のために予約されるサブフレームである
ことを特徴とする無線通信方法。
【請求項２１】
単一のセルで時分割複信方式を用いて移動局装置と通信する基地局装置に実装される集積回路において、
フレーム内における第１のサブフレームと第２のサブフレームと第３のサブフレームの配置を指示する第１の情報と、前記フレーム内において第４のサブフレームの有効を指示する第６の情報を前記移動局装置に送信する機能を、前記基地局装置に発揮させ、
前記第１のサブフレームは、下りリンク送信のために予約され、
前記第２のサブフレームは、上りリンク送信のために予約され、
前記第３のサブフレームは、下りリンク送信のために予約されるフィールドと上りリンク送信のために予約されるフィールドとガードピリオドのフィールドを含み、
前記第４のサブフレームは、上りリンク送信および下りリンク送信のために予約されるサブフレームである
ことを特徴とする集積回路。
【請求項２２】
単一のセルで時分割複信方式を用いて基地局装置と通信する移動局装置において、
フレーム内における第１のサブフレームと第２のサブフレームと第３のサブフレームの配置を指示する第１の情報と、前記フレーム内において第４のサブフレームの有効を指示する第６の情報を前記基地局装置から受信する受信部と、
前記第１の情報、または前記第１の情報と前記第６の情報に基づいて前記サブフレームを設定する設定部と、を備え、
前記第１のサブフレームは、下りリンク送信のために予約され、
前記第２のサブフレームは、上りリンク送信のために予約され、
前記第３のサブフレームは、下りリンク送信のために予約されるフィールドと上りリンク送信のために予約されるフィールドとガードピリオドのフィールドを含み、
前記第４のサブフレームは、上りリンク送信および下りリンク送信のために予約されるサブフレームである
ことを特徴とする移動局装置。
【請求項２３】
前記設定部は、前記第６の情報に基づいて前記フレーム内で特定の番号の前記第１のサブフレームを第４のサブフレームに再設定する
請求項２２の移動局装置。
【請求項２４】
前記設定部は、前記第６の情報に基づいて前記フレーム内で特定の番号の前記第２のサブフレームを第４のサブフレームに再設定する
請求項２２の移動局装置。
【請求項２５】
前記第６の情報は、さらに、前記特定の番号を指示する
請求項２３または２４に記載の移動局装置。
【請求項２６】
単一のセルで時分割複信方式を用いて基地局装置と通信する移動局装置に用いられる無線通信方法において、
フレーム内における第１のサブフレームと第２のサブフレームと第３のサブフレームの配置を指示する第１の情報と、前記フレーム内において第４のサブフレームの有効を指示する第６の情報を前記基地局装置から受信し、
前記第１の情報、または前記第１の情報と前記第６の情報に基づいて前記サブフレームを設定し、
前記第１のサブフレームは、下りリンク送信のために予約され、
前記第２のサブフレームは、上りリンク送信のために予約され、
前記第３のサブフレームは、下りリンク送信のために予約されるフィールドと上りリンク送信のために予約されるフィールドとガードピリオドのフィールドを含み、
前記第４のサブフレームは、上りリンク送信および下りリンク送信のために予約されるサブフレームである
ことを特徴とする無線通信方法。
【請求項２７】
単一のセルで時分割複信方式を用いて基地局装置と通信する移動局装置に実装される集積回路において、
フレーム内における第１のサブフレームと第２のサブフレームと第３のサブフレームの配置を指示する第１の情報と、前記フレーム内において第４のサブフレームの有効を指示する第６の情報を前記基地局装置から受信する機能と、
前記第１の情報、または前記第１の情報と前記第６の情報に基づいて前記サブフレームを設定する機能と、を前記移動局装置に発揮させ、
前記第１のサブフレームは、下りリンク送信のために予約され、
前記第２のサブフレームは、上りリンク送信のために予約され、
前記第３のサブフレームは、下りリンク送信のために予約されるフィールドと上りリンク送信のために予約されるフィールドとガードピリオドのフィールドを含み、
前記第４のサブフレームは、上りリンク送信および下りリンク送信のために予約されるサブフレームである
ことを特徴とする集積回路。
【発明の詳細な説明】
【技術分野】
【０００１】
本発明は、基地局装置、移動局装置、無線通信方法、および集積回路に関する。
【背景技術】
【０００２】
セルラー移動通信の無線アクセス方式および無線ネットワーク（以下、「Long Term Evolution （LTE）」、または、「Evolved Universal Terrestrial Radio Access : EUTRA」と称する。）が、第三世代パートナーシッププロジェクト（3rd Generation Partnership Project: 3GPP）において検討されている。ＬＴＥでは、下りリンクの通信方式として、直交周波数分割多重（Orthogonal Frequency Division Multiplexing: OFDM）方式が用いられる。ＬＴＥでは、上りリンクの通信方式として、ＳＣ−ＦＤＭＡ（Single-Carrier Frequency Division Multiple Access）方式が用いられる。ＬＴＥでは、基地局装置をｅＮｏｄｅＢ（evolved NodeB）、移動局装置をＵＥ（User Equipment）とも称する。ＬＴＥは、基地局装置がカバーするエリアをセル状に複数配置するセルラー通信システムである。単一の基地局装置は複数のセルを管理してもよい。
【０００３】
ＬＴＥは、時分割複信（Time Division Duplex: TDD）に対応している。ＴＤＤ方式を採用したＬＴＥをＴＤ−ＬＴＥまたはＬＴＥ  ＴＤＤとも称する。ＴＤＤは、上りリンク信号と下りリンク信号を時分割多重することによって、単一の周波数帯域において全二重通信（full duplex communication）を可能にする技術である。
【０００４】
３ＧＰＰにおいて、上りリンクのトラフィックと下りリンクのトラフィックに応じて、上りリンクリソースと下りリンクリソースの比率を変更するトラフィックアダプテーション技術をＴＤ−ＬＴＥに適用することが検討されている。非特許文献１において、フレキシブルサブフレーム（flexible subframe）を用いる方法が、トラフィックアダプテーションを実現する方法として提示されている。基地局装置は、フレキシブルサブフレームにおいて、上りリンク信号の受信または下りリンク信号の送信を行なうことができる。非特許文献１において、移動局装置は、基地局装置によって、フレキシブルサブフレームにおいて上りリンク信号の送信を指示されない限り、該フレキシブルサブフレームを下りリンクサブフレームとみなす。該トラフィックアダプテーション技術をダイナミックＴＤＤとも称する。
【先行技術文献】
【非特許文献】
【０００５】
【非特許文献１】"On standardization impact of TDD UL-DL adaptation", R1-122016, 3GPP TSG-RAN WG1 Meeting #69, Prague, Czech Republic, 21st - 25th May 2012.
【発明の概要】
【発明が解決しようとする課題】
【０００６】
上りリンクリソースと下りリンクリソースの比率を変更しない場合に比べて、トラフィックアダプテーション技術を適用した場合には、大きなパケットスループットの改善が得られる。しかしながら、フレキシブルサブフレームを設定する技術は十分に確立されていない。
【０００７】
本発明は上記の点に鑑みてなされたものであり、その目的は、フレキシブルサブフレームを効率的に設定することができる基地局装置、移動局装置、無線通信方法、および集積回路を提供することを目的とする。
【課題を解決するための手段】
【０００８】
（１）上記の目的を達成するために、本発明は、以下のような手段を講じた。すなわち、本発明の基地局装置は、単一のセルで時分割複信方式を用いて移動局装置と通信する基地局装置であって、フレーム内における第１のサブフレームと第２のサブフレームと第３のサブフレームの配置を指示する第１の情報と、前記フレーム内における前記第１のサブフレームと前記第２のサブフレームと前記第３のサブフレームと第４のサブフレームの配置を指示する第２の情報を前記移動局装置に送信する送信部を備え、前記第１のサブフレームは、下りリンク送信のために予約され、前記第２のサブフレームは、上りリンク送信のために予約され、前記第３のサブフレームは、下りリンク送信のために予約されるフィールドと上りリンク送信のために予約されるフィールドとガードピリオドのフィールドを含み、前記第４のサブフレームは、上りリンク送信および下りリンク送信のために予約されるサブフレームである。
【０００９】
（２）また、本発明は、上記の送信部において、前記第２の情報の受信を指示する第３の情報を送信する。
【００１０】
（３）また、本発明は、上記の送信部において、前記フレーム内に前記第４のサブフレームが含まれない場合は、前記第２の情報および／または前記第３の情報を送信しない。
【００１１】
（４）また、本発明は、上記の送信部において、前記第２の情報において変更が発生したかどうかを指示する第４の情報と前記第１の情報を含むメッセージを送信する。
【００１２】
（５）また、本発明は、上記の送信部において、前記第２の情報に変更が発生したことを指示する第５の情報を送信する。
【００１３】
（６）また、本発明の無線通信方法は、単一のセルで時分割複信方式を用いて移動局装置と通信する基地局装置に用いられる無線通信方法であって、フレーム内における第１のサブフレームと第２のサブフレームと第３のサブフレームの配置を指示する第１の情報と、前記フレーム内における前記第１のサブフレームと前記第２のサブフレームと前記第３のサブフレームと第４のサブフレームの配置を指示する第２の情報を前記移動局装置に送信し、前記第１のサブフレームは、下りリンク送信のために予約され、前記第２のサブフレームは、上りリンク送信のために予約され、前記第３のサブフレームは、下りリンク送信のために予約されるフィールドと上りリンク送信のために予約されるフィールドとガードピリオドのフィールドを含み、前記第４のサブフレームは、上りリンク送信および下りリンク送信のために予約されるサブフレームである。
【００１４】
（７）また、本発明の集積回路は、単一のセルで時分割複信方式を用いて移動局装置と通信する基地局装置に実装される集積回路であって、フレーム内における第１のサブフレームと第２のサブフレームと第３のサブフレームの配置を指示する第１の情報と、前記フレーム内における前記第１のサブフレームと前記第２のサブフレームと前記第３のサブフレームと第４のサブフレームの配置を指示する第２の情報を前記移動局装置に送信する機能を、前記基地局装置に発揮させ、前記第１のサブフレームは、下りリンク送信のために予約され、前記第２のサブフレームは、上りリンク送信のために予約され、前記第３のサブフレームは、下りリンク送信のために予約されるフィールドと上りリンク送信のために予約されるフィールドとガードピリオドのフィールドを含み、前記第４のサブフレームは、上りリンク送信および下りリンク送信のために予約されるサブフレームである。
【００１５】
（８）また、本発明の移動局装置は、単一のセルで時分割複信方式を用いて基地局装置と通信する移動局装置であって、フレーム内における第１のサブフレームと第２のサブフレームと第３のサブフレームの配置を指示する第１の情報と、前記フレーム内における前記第１のサブフレームと前記第２のサブフレームと前記第３のサブフレームと第４のサブフレームの配置を指示する第２の情報を前記基地局装置から受信する受信部と、前記第１の情報または前記第２の情報に基づいて前記サブフレームを設定する設定部と、を備え、前記第１のサブフレームは、下りリンク送信のために予約され、前記第２のサブフレームは、上りリンク送信のために予約され、前記第３のサブフレームは、下りリンク送信のために予約されるフィールドと上りリンク送信のために予約されるフィールドとガードピリオドのフィールドを含み、前記第４のサブフレームは、上りリンク送信または下りリンク送信のために予約されるサブフレームである。
【００１６】
（９）また、本発明は、上記の受信部において、前記第２の情報の受信を指示する第３の情報を受信する。
【００１７】
（１０）また、本発明は、上記の受信部において、前記第３の情報を受信していない場合は、前記第２の情報を受信しない、または、前記設定部に前記第２の情報を出力しない。
【００１８】
（１１）また、本発明は、上記の受信部において、前記第２の情報に変更が発生したかどうかを指示する第４の情報と前記第１の情報を含むメッセージを受信する。
【００１９】
（１２）また、本発明は、上記の受信部において、前記第２の情報において変更が発生したことを指示する第５の情報を受信する。
【００２０】
（１３）また、本発明は、上記の受信部において、前記第２の情報において変更が発生したことを指示する前記第４の情報、または、前記第５の情報を受信した場合に、前記第２の情報の受信を試みる。
【００２１】
（１４）また、本発明の無線通信方法は、単一のセルで時分割複信方式を用いて基地局装置と通信する移動局装置に用いられる無線通信方法であって、フレーム内における第１のサブフレームと第２のサブフレームと第３のサブフレームの配置を指示する第１の情報と、前記フレーム内における前記第１のサブフレームと前記第２のサブフレームと前記第３のサブフレームと第４のサブフレームの配置を指示する第２の情報を前記基地局装置から受信し、前記第１の情報または前記第２の情報に基づいて前記サブフレームを設定し、前記第１のサブフレームは、下りリンク送信のために予約され、前記第２のサブフレームは、上りリンク送信のために予約され、前記第３のサブフレームは、下りリンク送信のために予約されるフィールドと上りリンク送信のために予約されるフィールドとガードピリオドのフィールドを含み、前記第４のサブフレームは、上りリンク送信または下りリンク送信のために予約されるサブフレームである。
【００２２】
（１５）また、本発明の集積回路は、単一のセルで時分割複信方式を用いて基地局装置と通信する移動局装置に実装される集積回路であって、フレーム内における第１のサブフレームと第２のサブフレームと第３のサブフレームの配置を指示する第１の情報と、前記フレーム内における前記第１のサブフレームと前記第２のサブフレームと前記第３のサブフレームと第４のサブフレームの配置を指示する第２の情報を前記基地局装置から受信する機能と、前記第１の情報または前記第２の情報に基づいて前記サブフレームを設定する機能と、を前記移動局装置に発揮させ、前記第１のサブフレームは、下りリンク送信のために予約され、前記第２のサブフレームは、上りリンク送信のために予約され、前記第３のサブフレームは、下りリンク送信のために予約されるフィールドと上りリンク送信のために予約されるフィールドとガードピリオドのフィールドを含み、前記第４のサブフレームは、上りリンク送信または下りリンク送信のために予約されるサブフレームである。
【００２３】
（１６）また、本発明の基地局装置は、単一のセルで時分割複信方式を用いて移動局装置と通信する基地局装置であって、フレーム内における第１のサブフレームと第２のサブフレームと第３のサブフレームの配置を指示する第１の情報と、前記フレーム内において第４のサブフレームの有効を指示する第６の情報を前記移動局装置に送信する送信部を備え、前記第１のサブフレームは、下りリンク送信のために予約され、前記第２のサブフレームは、上りリンク送信のために予約され、前記第３のサブフレームは、下りリンク送信のために予約されるフィールドと上りリンク送信のために予約されるフィールドとガードピリオドのフィールドを含み、前記第４のサブフレームは、上りリンク送信および下りリンク送信のために予約されるサブフレームである。
【００２４】
（１７）また、本発明は、上記の基地局装置において、前記第６の情報は、前記フレーム内において特定の番号の前記第１のサブフレームが第４のサブフレームとして有効であることを指示する。
【００２５】
（１８）また、本発明は、上記の基地局装置において、前記第６の情報は、前記フレーム内において特定の番号の前記第２のサブフレームが第４のサブフレームとして有効であることを指示する。
【００２６】
（１９）また、本発明は、上記の基地局装置において、前記第６の情報は、さらに、前記特定の番号を指示する。
【００２７】
（２０）また、本発明の無線通信方法は、単一のセルで時分割複信方式を用いて移動局装置と通信する基地局装置に用いられる無線通信方法であって、フレーム内における第１のサブフレームと第２のサブフレームと第３のサブフレームの配置を指示する第１の情報と、前記フレーム内において第４のサブフレームの有効を指示する第６の情報を前記移動局装置に送信し、前記第１のサブフレームは、下りリンク送信のために予約され、前記第２のサブフレームは、上りリンク送信のために予約され、前記第３のサブフレームは、下りリンク送信のために予約されるフィールドと上りリンク送信のために予約されるフィールドとガードピリオドのフィールドを含み、前記第４のサブフレームは、上りリンク送信および下りリンク送信のために予約されるサブフレームである。
【００２８】
（２１）また、本発明の集積回路は、単一のセルで時分割複信方式を用いて移動局装置と通信する基地局装置に実装される集積回路であって、フレーム内における第１のサブフレームと第２のサブフレームと第３のサブフレームの配置を指示する第１の情報と、前記フレーム内において第４のサブフレームの有効を指示する第６の情報を前記移動局装置に送信する機能を、前記基地局装置に発揮させ、前記第１のサブフレームは、下りリンク送信のために予約され、前記第２のサブフレームは、上りリンク送信のために予約され、前記第３のサブフレームは、下りリンク送信のために予約されるフィールドと上りリンク送信のために予約されるフィールドとガードピリオドのフィールドを含み、前記第４のサブフレームは、上りリンク送信および下りリンク送信のために予約されるサブフレームである。
【００２９】
（２２）また、本発明の移動局装置は、単一のセルで時分割複信方式を用いて基地局装置と通信する移動局装置であって、フレーム内における第１のサブフレームと第２のサブフレームと第３のサブフレームの配置を指示する第１の情報と、前記フレーム内において第４のサブフレームの有効を指示する第６の情報を前記基地局装置から受信する受信部と、前記第１の情報、または前記第１の情報と前記第６の情報に基づいて前記サブフレームを設定する設定部と、を備え、前記第１のサブフレームは、下りリンク送信のために予約され、前記第２のサブフレームは、上りリンク送信のために予約され、前記第３のサブフレームは、下りリンク送信のために予約されるフィールドと上りリンク送信のために予約されるフィールドとガードピリオドのフィールドを含み、前記第４のサブフレームは、上りリンク送信および下りリンク送信のために予約されるサブフレームである。
【００３０】
（２３）また、本発明は、上記の設定部において、前記第６の情報に基づいて前記フレーム内で特定の番号の前記第１のサブフレームを第４のサブフレームに再設定する。
【００３１】
（２４）また、本発明は、上記の設定部において、前記第６の情報に基づいて前記フレーム内で特定の番号の前記第２のサブフレームを第４のサブフレームに再設定する。
【００３２】
（２５）また、本発明は、上記の移動局装置において、前記第６の情報は、さらに、前記特定の番号を指示する。
【００３３】
（２６）また、本発明の無線通信方法は、単一のセルで時分割複信方式を用いて基地局装置と通信する移動局装置に用いられる無線通信方法であって、フレーム内における第１のサブフレームと第２のサブフレームと第３のサブフレームの配置を指示する第１の情報と、前記フレーム内において第４のサブフレームの有効を指示する第６の情報を前記基地局装置から受信し、前記第１の情報、または前記第１の情報と前記第６の情報に基づいて前記サブフレームを設定し、前記第１のサブフレームは、下りリンク送信のために予約され、前記第２のサブフレームは、上りリンク送信のために予約され、前記第３のサブフレームは、下りリンク送信のために予約されるフィールドと上りリンク送信のために予約されるフィールドとガードピリオドのフィールドを含み、前記第４のサブフレームは、上りリンク送信および下りリンク送信のために予約されるサブフレームである。
【００３４】
（２７）また、本発明の集積回路は、単一のセルで時分割複信方式を用いて基地局装置と通信する移動局装置に実装される集積回路であって、フレーム内における第１のサブフレームと第２のサブフレームと第３のサブフレームの配置を指示する第１の情報と、前記フレーム内において第４のサブフレームの有効を指示する第６の情報を前記基地局装置から受信する機能と、前記第１の情報、または前記第１の情報と前記第６の情報に基づいて前記サブフレームを設定する機能と、を前記移動局装置に発揮させ、前記第１のサブフレームは、下りリンク送信のために予約され、前記第２のサブフレームは、上りリンク送信のために予約され、前記第３のサブフレームは、下りリンク送信のために予約されるフィールドと上りリンク送信のために予約されるフィールドとガードピリオドのフィールドを含み、前記第４のサブフレームは、上りリンク送信および下りリンク送信のために予約されるサブフレームである。
【発明の効果】
【００３５】
この発明によれば、フレキシブルサブフレームを効率的に設定することができる。
【図面の簡単な説明】
【００３６】
【図１】本実施形態の無線通信システムの概念図である。
【図２】本実施形態の無線フレームの概略構成を示す図である。
【図３】本実施形態のスロットの構成を示す図である。
【図４】本実施形態の下りリンクサブフレームにおける物理チャネルおよび物理信号の配置の一例を示す図である。
【図５】本実施形態の上りリンクサブフレームにおける物理チャネルおよび物理信号の配置の一例を示す図である。
【図６】本実施形態のスペシャルサブフレームにおける物理チャネルおよび物理信号の配置の一例を示す図である。
【図７】本実施形態の移動局装置１の構成を示す概略ブロック図である。
【図８】本実施形態の基地局装置３の構成を示す概略ブロック図である。
【図９】第１の実施形態の第１の情報が示すｕｐｌｉｎｋ−ｄｏｗｎｌｉｎｋ  ｃｏｎｆｉｇｕｒａｔｉｏｎの一例を示す表である。
【図１０】第１の実施形態の第２の情報が示すｕｐｌｉｎｋ−ｄｏｗｎｌｉｎｋ  ｃｏｎｆｉｇｕｒａｔｉｏｎの一例を示す表である。
【図１１】第１の実施形態における移動局装置１の動作の一例を示す図である。
【図１２】第２の実施形態における移動局装置１の動作の一例を示す図である。
【図１３】第３の実施形態における移動局装置１の動作の一例を示す図である。
【図１４】第４の実施形態における移動局装置１の動作の一例を示す図である。
【図１５】第５の実施形態における移動局装置１の動作の一例を示す図である。
【図１６】第５の実施形態におけるｕｐｌｉｎｋ−ｄｏｗｎｌｉｎｋ  ｃｏｎｆｉｇｕｒａｔｉｏｎの一例を示す図である。
【発明を実施するための形態】
【００３７】
以下、本発明の実施形態について説明する。
【００３８】
本実施形態では、移動局装置は、単一のセルと通信する。しかしながら、本発明は、移動局装置が複数のセルと通信する場合にも適用できる。移動局装置が複数のセルと通信する技術をセルアグリゲーション、またはキャリアアグリゲーションと称する。セルアグリゲーションの場合には、複数のセルのそれぞれにおいて、本発明が適用されてもよい。または、セルアグリゲーションの場合には、複数のセルの一部に本発明が適用されてもよい。また、本実施形態の無線通信システムは、ＴＤＤ（Time Division Duplex）方式が適用される。
【００３９】
図１は、本実施形態の無線通信システムの概念図である。図１において、無線通信システムは、移動局装置１Ａ〜１Ｃ、および基地局装置３を具備する。以下、移動局装置１Ａ〜１Ｃを移動局装置１という。
【００４０】
本実施形態の物理チャネルおよび物理信号について説明する。
【００４１】
図１において、移動局装置１から基地局装置３への上りリンクの無線通信では、以下の上りリンク物理チャネルが用いられる。上りリンク物理チャネルは、上位層から出力された情報を送信するために使用される。
・ＰＵＣＣＨ（Physical Uplink Control Channel）
・ＰＵＳＣＨ（Physical Uplink Shared Channel）
・ＰＲＡＣＨ（Physical Random Access Channel）
【００４２】
ＰＵＣＣＨは、上りリンク制御情報（Uplink Control Information: UCI）を送信するために用いられる物理チャネルである。上りリンク制御情報は、下りリンクのチャネル状態情報（Channel State Information: CSI）、ＰＵＳＣＨのリソースの要求を示すスケジューリング要求（Scheduling Request: SR）、移動局装置１が受信した下りリンクデータの復号の成否を示すＡＣＫ（acknowledgement）／ＮＡＣＫ（negative-acknowledgement）を含む。
【００４３】
ＰＵＳＣＨは、上りリンクデータ（Uplink-Shared Channel: UL-SCH）を送信するために用いられる物理チャネルである。また、ＰＵＳＣＨは、上りリンクデータと共にＡＣＫ／ＮＡＣＫおよび／またはチャネル状態情報を送信するために用いられてもよい。また、ＰＵＳＣＨはチャネル状態情報のみ、または、ＡＣＫ／ＮＡＣＫおよびチャネル状態情報のみを送信するために用いられてもよい。
【００４４】
ＰＲＡＣＨは、ランダムアクセスプリアンブルを送信するために用いられる物理チャネルである。ＰＲＡＣＨは、移動局装置１が基地局装置３と時間領域の同期をとることを主な目的とする。その他に、ＰＲＡＣＨは、初期コネクション確立（initial connection establishment）プロシージャ、ハンドオーバプロシージャ、コネクション再確立（connection re-establishment）プロシージャ、上りリンク送信に対する同期（タイミング調整）、およびＰＵＳＣＨのリソースの要求のためにも用いられる。
【００４５】
図１において、上りリンクの無線通信では、以下の上りリンク物理信号が用いられる。上りリンク物理信号は、上位層から出力された情報を送信するために使用されないが、物理層によって使用される。
・上りリンク参照信号（Uplink Reference Signal: UL RS）
【００４６】
本実施形態において、以下の２つのタイプの上りリンク参照信号が用いられる。
・ＤＭＲＳ（Demodulation Reference Signal）
・ＳＲＳ（Sounding Reference Signal）
【００４７】
ＤＭＲＳは、ＰＵＳＣＨまたはＰＵＣＣＨの送信に関連する。ＤＭＲＳは、ＰＵＳＣＨまたはＰＵＣＣＨと時間多重される。基地局装置３は、ＰＵＳＣＨまたはＰＵＣＣＨの伝搬路補正を行なうためにＤＭＲＳを使用する。以下、ＰＵＳＣＨとＤＭＲＳを共に送信することを、単にＰＵＳＣＨを送信すると称する。以下、ＰＵＣＣＨとＤＭＲＳを共に送信することを、単にＰＵＣＣＨを送信すると称する。
【００４８】
ＳＲＳは、ＰＵＳＣＨまたはＰＵＣＣＨの送信に関連しない。基地局装置３は、上りリンクのチャネル状態を測定するためにＳＲＳを使用する。移動局装置１は、上位層によって設定された第１のリソースにおいて第１のＳＲＳを送信する。さらに、移動局装置１は、ＰＤＣＣＨを介してＳＲＳの送信を要求することを示す情報を受信した場合に、上位層によって設定された第２のリソースにおいて第２のＳＲＳを１回のみ送信する。第１のＳＲＳをピリオディックＳＲＳとも称する。第２のＳＲＳをアピリオディックＳＲＳとも称する。
【００４９】
図１において、基地局装置３から移動局装置１への下りリンクの無線通信では、以下の下りリンク物理チャネルが用いられる。下りリンク物理チャネルは、上位層から出力された情報を送信するために使用される。
・ＰＢＣＨ（Physical Broadcast Channel）
・ＰＣＦＩＣＨ（Physical Control Format Indicator Channel）
・ＰＨＩＣＨ（Physical Hybrid automatic repeat request Indicator Channel）
・ＰＤＣＣＨ（Physical Downlink Control Channel）
・ｅＰＤＣＣＨ（enhanced Physical Downlink Control Channel）
・ＰＤＳＣＨ（Physical Downlink Shared Channel）
【００５０】
ＰＢＣＨは、移動局装置１で共通に用いられるシステム情報（マスターインフォメーションブロック、Broadcast Channel: BCH）を報知するために用いられる。ＰＢＣＨは、４０ms間隔で送信される。４０ms間隔のタイミングは、移動局装置１においてブラインド検出（blind detection）される。また、ＰＢＣＨは、10ms間隔で再送信される。
【００５１】
ＰＣＦＩＣＨは、ＰＤＣＣＨの送信のために予約される領域（ＯＦＤＭシンボル）を指示する情報を送信するために用いられる。
【００５２】
ＰＨＩＣＨは、基地局装置３が受信した上りリンクデータ（Uplink Shared Channel: UL-SCH）に対するＡＣＫ（ACKnowledgement）またはＮＡＣＫ（Negative ACKnowledgement）を示すＨＡＲＱインディケータ（ＨＡＲＱフィードバック、応答情報）を送信するために用いられる。例えば、移動局装置１がＡＣＫを示すＨＡＲＱインディケータを受信した場合は、対応する上りリンクデータを再送しない。例えば、移動局装置１がＮＡＣＫを示すＨＡＲＱインディケータを受信した場合は、対応する上りリンクデータを再送する。単一のＰＨＩＣＨは、単一の上りリンクデータに対するＨＡＲＱインディケータを送信する。基地局装置３は、同一のＰＵＳＣＨに含まれる複数の上りリンクデータに対するＨＡＲＱインディケータのそれぞれを複数のＰＨＩＣＨを用いて送信する。
【００５３】
ＰＤＣＣＨおよびｅＰＤＣＣＨは、下りリンク制御情報（Downlink Control Information: DCI）を送信するために用いられる。下りリンク制御情報は、下りリンクグラント（downlink assignment；または下りリンクアサインメント「downlink assignment」とも称する。）および上りリンクグラント（uplink grant）を含む。下りリンクグラントは、単一のセル内の単一のＰＤＳＣＨのスケジューリングに用いられる下りリンク制御情報である。下りリンクグラントは、該下りリンクグラントが送信されたサブフレームと同じサブフレーム内のＰＤＳＣＨのスケジューリングに用いられる。上りリンクグラントは、単一のセル内の単一のＰＵＳＣＨのスケジューリングに用いられる下りリンク制御情報である。上りリンクグラントは、該上りリンクグラントが送信されたサブフレームよりも４つ以上後のサブフレーム内の単一のＰＵＳＣＨのスケジューリングに用いられる。
【００５４】
ＰＤＳＣＨは、下りリンクデータ（Downlink Shared Channel: DL-SCH）を送信するために用いられる。
【００５５】
図１において、下りリンクの無線通信では、以下の下りリンク物理信号が用いられる。下りリンク物理信号は、上位層から出力された情報を送信するために使用されないが、物理層によって使用される。
・同期信号（Synchronization signal: SS）
・下りリンク参照信号（Downlink Reference Signal: DL RS）
【００５６】
同期信号は、移動局装置１が下りリンクの周波数領域および時間領域の同期をとるために用いられる。下りリンク参照信号は、移動局装置１が下りリンク物理チャネルの伝搬路補正を行なうために用いられる。下りリンク参照信号は、移動局装置１が下りリンクのチャネル状態情報を算出するために用いられる。
【００５７】
下りリンク物理チャネルおよび下りリンク物理信号を総称して、下りリンク信号と称する。上りリンク物理チャネルおよび上りリンク物理信号を総称して、上りリンク信号と称する。下りリンク物理チャネルおよび上りリンク物理チャネルを総称して、物理チャネルと称する。下りリンク物理信号および上りリンク物理信号を総称して、物理信号と称する。
【００５８】
ＢＣＨ、ＵＬ−ＳＣＨおよびＤＬ−ＳＣＨは、トランスポートチャネルである。媒体アクセス制御（Medium Access Control: MAC）層で用いられるチャネルをトランスポートチャネルと称する。ＭＡＣ層で用いられるトランスポートチャネルの単位を、トランスポートブロック（transport block: TB）またはＭＡＣ  ＰＤＵ（Protocol Data Unit）とも称する。ＭＡＣ層においてトランスポートブロック毎にＨＡＲＱ（Hybrid Automatic Repeat reQuest）の制御が行なわれる。トランスポートブロックは、ＭＡＣ層が物理層に渡す（deliver）データの単位である。物理層において、トランスポートブロックはコードワードにマップされ、コードワード毎に符号化処理が行なわれる。
【００５９】
以下、本実施形態の無線フレーム（radio frame）の構成について説明する。
【００６０】
図２は、本実施形態の無線フレームの概略構成を示す図である。無線フレームのそれぞれは、１０ｍｓ長である。また、無線フレームのそれぞれは２つのハーフフレームから構成される。ハーフフレームのそれぞれは、５ｍｓ長である。ハーフフレームのそれぞれは、５のサブフレームから構成される。サブフレームのそれぞれは、１ｍｓ長であり、２つの連続するスロットによって定義される。無線フレーム内のｉ番目のサブフレームは、（２×ｉ）番目のスロットと（２×ｉ＋１）番目のスロットとから構成される。つまり、１０ｍｓ間隔のそれぞれにおいて、１０個のサブフレームが利用できる。スロットのそれぞれは、０．５ｍｓ長である。
【００６１】
本実施形態では、以下の４つのタイプのサブフレームを用いる。
・下りリンクサブフレーム（第１のサブフレーム）
・上りリンクサブフレーム（第２のサブフレーム）
・スペシャルサブフレーム（第３のサブフレーム）
・フレキシブルサブフレーム（第４のサブフレーム）
【００６２】
下りリンクサブフレームは下りリンク送信のためにリザーブされるサブフレームである。上りリンクサブフレームは上りリンク送信のためにリザーブされるサブフレームである。スペシャルサブフレームは３つのフィールドから構成される。該３つのフィールドは、ＤｗＰＴＳ（Downlink Pilot Time Slot）、ＧＰ（Guard Period）、およびＵｐＰＴＳ（Uplink Pilot Time Slot）である。ＤｗＰＴＳ、ＧＰ、およびＵｐＰＴＳの合計の長さは１ｍｓである。ＤｗＰＴＳは下りリンク送信のためにリザーブされるフィールドである。ＵｐＰＴＳは上りリンク送信のためにリザーブされるフィールドである。ＧＰは下りリンク送信および上りリンク送信が行なわれないフィールドである。
【００６３】
フレキシブルサブフレームは下りリンク送信および／または上りリンク送信が行なわれるサブフレームである。基地局装置３および移動局装置１は、フレキシブルサブフレームを下りリンクサブフレームとみなしてもよい。また、基地局装置３および移動装置１は、フレキシブルサブフレームを上りリンクサブフレームとみなしてもよい。また、基地局装置３および移動局装置１は、フレキシブルサブフレームを、上りリンク送信のためにリザーブされるフィールドと下りリンク送信のためにリザーブされるフィールドを含むサブフレームとみなしてもよい。
【００６４】
単一の無線フレームは、少なくとも下りリンクサブフレーム、上りリンクサブフレーム、およびスペシャルサブフレームから構成される。
【００６５】
本実施形態の無線通信システムは、５ｍｓと１０ｍｓのｄｏｗｎｌｉｎｋ−ｔｏ−ｕｐｌｉｎｋ  ｓｗｉｔｃｈ−ｐｏｉｎｔ  ｐｅｒｉｏｄｉｃｉｔｙをサポートする。ｄｏｗｎｌｉｎｋ−ｔｏ−ｕｐｌｉｎｋ  ｓｗｉｔｃｈ−ｐｏｉｎｔ  ｐｅｒｉｏｄｉｃｉｔｙが５ｍｓの場合には、無線フレーム内の両方のハーフフレームにスペシャルサブフレームが含まれる。ｄｏｗｎｌｉｎｋ−ｔｏ−ｕｐｌｉｎｋ  ｓｗｉｔｃｈ−ｐｏｉｎｔ  ｐｅｒｉｏｄｉｃｉｔｙが１０ｍｓの場合には、無線フレーム内の最初のハーフフレームのみにスペシャルサブフレームが含まれる。無線フレーム内のサブフレーム１と６がスペシャルサブフレームである。
【００６６】
サブフレーム０と５とＤｗＰＴＳは常に下りリンク送信のためにリザーブされる。スペシャルサブフレームの直後のサブフレームとＵｐＰＴＳは常に上りリンク送信のためにリザーブされる。
【００６７】
以下、本実施形態のスロットの構成について説明する。
【００６８】
図３は、本実施形態のスロットの構成を示す図である。スロットのそれぞれにおいて送信される物理信号または物理チャネルは、リソースグリッドによって表現される。下りリンクにおいて、リソースグリッドは複数のサブキャリアと複数のＯＦＤＭシンボルによって定義される。上りリンクにおいて、リソースグリッドは複数のサブキャリアと複数のＳＣ−ＦＤＭＡシンボルによって定義される。１つのスロットを構成するサブキャリアの数は、セルの帯域幅に依存する。１つのスロットを構成するＯＦＤＭシンボルまたはＳＣ−ＦＤＭＡシンボルの数は７である。リソースグリッド内のエレメントのそれぞれをリソースエレメントと称する。リソースエレメントは、サブキャリアの番号とＯＦＤＭシンボルまたはＳＣ−ＦＤＭＡシンボルの番号とを用いて識別する。
【００６９】
リソースブロックは、ある物理チャネル（ＰＤＳＣＨまたはＰＵＳＣＨなど）のリソースエレメントへのマッピングを表現するために用いられる。リソースブロックは、仮想リソースブロックと物理リソースブロックが定義される。ある物理チャネルは、まず仮想リソースブロックにマップされる。その後、仮想リソースブロックは、物理リソースブロックにマップされる。１つの物理リソースブロックは、時間領域において７個の連続するＯＦＤＭシンボルまたはＳＣ−ＦＤＭＡシンボルと周波数領域において１２個の連続するサブキャリアとから定義される。ゆえに、１つの物理リソースブロックは（７×１２）個のリソースエレメントから構成される。また、１つの物理リソースブロックは、時間領域において１つのスロットに対応し、周波数領域において１８０ｋＨｚに対応する。物理リソースブロックは周波数領域において０から番号が付けられる。
【００７０】
以下、サブフレームのそれぞれにおいて送信される物理チャネルおよび物理信号について説明する。
【００７１】
図４は、本実施形態の下りリンクサブフレームにおける物理チャネルおよび物理信号の配置の一例を示す図である。基地局装置３は、下りリンクサブフレームにおいて、下りリンク物理チャネル（ＰＢＣＨ、ＰＣＦＩＣＨ、ＰＨＩＣＨ、ＰＤＣＣＨ、ｅＰＤＣＣＨ、ＰＤＳＣＨ）、および下りリンク物理信号（同期信号、下りリンク参照信号）を送信できる。尚、ＰＢＣＨは無線フレーム内のサブフレーム０のみで送信される。尚、同期信号は無線フレーム内のサブフレーム０と５のみに配置される。尚、下りリンク参照信号は周波数領域および時間領域において分散するリソースエレメントに配置される。説明の簡略化のため図４において下りリンク参照信号は図示しない。
【００７２】
ＰＤＣＣＨ領域において、複数のＰＤＣＣＨが周波数および時間多重される。ｅＰＤＣＣＨ領域において、複数のｅＰＤＣＣＨが周波数、時間、および空間多重される。ＰＤＳＣＨ領域において、複数のＰＤＳＣＨが周波数および空間多重される。ＰＤＣＣＨとＰＤＳＣＨまたはｅＰＤＣＣＨは時間多重される。ＰＤＳＣＨとｅＰＤＣＣＨは周波数多重される。
【００７３】
基地局装置３は、上りリンクサブフレームまたはフレキシブルサブフレームのＰＵＳＣＨに関するＰＤＣＣＨ（上りリンクグラント）を下りリンクサブフレームのみにおいて送信する。また、基地局装置３は、上りリンクサブフレームまたはフレキシブルサブフレームのＰＵＳＣＨに関するＰＨＩＣＨ（ＡＣＫ／ＮＡＣＫ）を下りリンクサブフレームのみにおいて送信する。
【００７４】
図５は、本実施形態の上りリンクサブフレームにおける物理チャネルおよび物理信号の配置の一例を示す図である。移動局装置１は、上りリンクサブフレームにおいて、上りリンク物理チャネル（ＰＵＣＣＨ、ＰＵＳＣＨ、ＰＲＡＣＨ）、および上りリンク物理信号（ＤＭＲＳ、ＳＲＳ）を送信できる。ＰＵＣＣＨ領域において、複数のＰＵＣＣＨが周波数、時間、および符合多重される。ＰＵＳＣＨ領域において、複数のＰＵＳＣＨが周波数および空間多重される。ＰＵＣＣＨとＰＵＳＣＨは周波数多重される。ＰＲＡＣＨは単一のサブフレームまたは２つのサブフレームにわたって配置される。また、複数のＰＲＡＣＨが符号多重される。
【００７５】
ＳＲＳは上りリンクサブフレーム内の最後のＳＣ−ＦＤＭＡシンボルを用いて送信される。つまり、ＳＲＳは上りリンクサブフレーム内の最後のＳＣ−ＦＤＭＡシンボルに配置される。移動局装置１は、単一のセルの単一のＳＣ−ＦＤＭＡシンボルにおいて、ＳＲＳとＰＵＣＣＨ／ＰＵＳＣＨ／ＰＲＡＣＨを同時に送信することはできない。移動局装置１は、単一のセルの単一の上りリンクサブフレームにおいて、該上りリンクサブフレーム内の最後のＳＣ−ＦＤＭＡシンボルを除くＳＣ−ＦＤＭＡシンボルを用いてＰＵＳＣＨおよび／またはＰＵＣＣＨを送信し、該上りリンクサブフレーム内の最後のＳＣ−ＦＤＭＡシンボルを用いてＳＲＳを送信することができる。つまり、単一のセルの単一の上りリンクサブフレームにおいて、移動局装置１は、ＳＲＳとＰＵＳＣＨ／ＰＵＣＣＨの両方を送信することができる。尚、ＤＭＲＳはＰＵＣＣＨまたはＰＵＳＣＨと時間多重される。説明の簡略化のため図５においてＤＭＲＳは図示しない。
【００７６】
図６は、本実施形態のスペシャルサブフレームにおける物理チャネルおよび物理信号の配置の一例を示す図である。図６において、ＤｗＰＴＳはスペシャルサブフレーム内の1番目から９番目のＳＣ−ＦＤＭＡシンボルから構成され、ＧＰはスペシャルサブフレーム内の１０番目から１２番目のＳＣ−ＦＤＭＡシンボルから構成され、ＵｐＰＴＳはスペシャルサブフレーム内の１３番目と１４番目のＳＣ−ＦＤＭＡシンボルから構成される。
【００７７】
基地局装置３は、スペシャルサブフレームのＤｗＰＴＳにおいて、ＰＣＦＩＣＨ、ＰＨＩＣＨ、ＰＤＣＣＨ、ｅＰＤＣＣＨ、ＰＤＳＣＨ、および下りリンク参照信号を送信できる。基地局装置３は、スペシャルサブフレームのＤｗＰＴＳにおいて、ＰＢＣＨおよび同期信号を送信しない。移動局装置１は、スペシャルサブフレームのＵｐＰＴＳにおいて、ＰＲＡＣＨ、およびＳＲＳを送信できる。つまり、移動局装置１は、スペシャルサブフレームのＵｐＰＴＳにおいて、ＰＵＣＣＨ、ＰＵＳＣＨ、およびＤＭＲＳを送信しない。
【００７８】
以下、フレキシブルサブフレームにおいて送信される物理チャネルおよび物理信号について説明する。
【００７９】
基地局装置３は、フレキシブルサブフレームにおいて、少なくともｅＰＤＣＣＨ、およびＰＤＳＣＨを送信できる。また、基地局装置３は、フレキシブルサブフレームにおいて、ＰＣＦＩＣＨ、ＰＤＣＣＨを送信してもよい。基地局装置３は、フレキシブルサブフレームにおいて、ＰＢＣＨおよび同期信号を送信しない。移動局装置１は、フレキシブルサブフレームにおいて、ＰＵＳＣＨ、ＤＭＲＳ、およびＳＲＳを送信できる。移動局装置１は、フレキシブルサブフレームにおいて、ＰＲＡＣＨ、およびＰＵＣＣＨを送信しない。
【００８０】
移動局装置１は、フレキシブルサブフレームにおいてＰＵＳＣＨおよび／またはＳＲＳの送信がスケジュールされているかどうかに応じて、該フレキシブルサブフレームを下りリンクサブフレームまたは上りリンクサブフレームとみなす。つまり、移動局装置１は、フレキシブルサブフレームにおいてＰＵＳＣＨおよび／またはＳＲＳの送信がスケジュールされているかどうかに応じて、該フレキシブルサブフレームにおいて下りリンク物理チャネルおよび／または下りリンク物理信号の受信処理を行うか上りリンク物理チャネルおよび／または上りリンク物理信号の送信処理を行うかを制御する。
【００８１】
移動局装置１は、フレキシブルサブフレームにおいてＰＵＳＣＨおよびＳＲＳの送信をスケジュールされた場合、該フレキシブルサブフレームにおいてＰＵＳＣＨおよびＳＲＳを送信し、ＰＤＣＣＨおよび／またはｅＰＤＣＣＨを介して下りリンク制御情報の受信処理（モニタ）を行なわない。移動局装置１は、フレキシブルサブフレームにおいてＰＵＳＣＨおよびＳＲＳの送信をスケジュールされた場合、該フレキシブルサブフレームを上りリンクサブフレームとみなす。
【００８２】
移動局装置１は、フレキシブルサブフレームにおいてＳＲＳの送信をスケジュールされずＰＵＳＣＨの送信をスケジュールされた場合、該フレキシブルサブフレームにおいてＰＵＳＣＨを送信し、ＰＤＣＣＨおよび／またはｅＰＤＣＣＨを介して下りリンク制御情報の受信処理（モニタ）を行なわない。移動局装置１は、フレキシブルサブフレームにおいてＳＲＳの送信をスケジュールされずＰＵＳＣＨの送信をスケジュールされた場合、該フレキシブルサブフレームを上りリンクサブフレームとみなす。
【００８３】
移動局装置１は、フレキシブルサブフレームにおいてＰＵＳＣＨの送信をスケジュールされずＳＲＳの送信をスケジュールされた場合、該フレキシブルサブフレームにおいてＳＲＳを送信し、ＰＤＣＣＨおよび／またはｅＰＤＣＣＨを介して下りリンク制御情報の受信処理（モニタ）を行なわない。移動局装置１は、フレキシブルサブフレームにおいてＰＵＳＣＨの送信をスケジュールされずＳＲＳの送信をスケジュールされた場合、該フレキシブルサブフレームを上りリンクサブフレームとみなす。
【００８４】
移動局装置１は、フレキシブルサブフレームにおいてＰＵＳＣＨおよびＳＲＳの送信をスケジュールされていない場合、ＰＤＣＣＨおよび／またはｅＰＤＣＣＨを介して少なくとも下りリンクグラントの受信処理（モニタ）を行なう。移動局装置１は、フレキシブルサブフレームにおいて下りリンクグラントを検出した場合、該フレキシブルサブフレームにおいて該検出した下りリンクグラントに応じてＰＤＳＣＨの受信処理を行う。移動局装置１は、フレキシブルサブフレームにおいてＰＵＳＣＨおよびＳＲＳの送信をスケジュールされていない場合、該フレキシブルサブフレームを下りリンクサブフレームとみなす。
【００８５】
フレキシブルサブフレームにおいてＰＵＳＣＨまたはＳＲＳの送信をスケジュールされた場合とは、フレキシブルサブフレームよりも前の下りリンクサブフレームにおいて、該フレキシブルサブフレームのＰＵＳＣＨをスケジュールする情報を検出（受信）した場合である。
【００８６】
尚、移動局装置１は、フレキシブルサブフレームにおいてＰＵＳＣＨの送信をスケジュールされずにＳＲＳの送信をスケジュールされた場合、該フレキシブルサブフレームにおいてＳＲＳを送信し、ｅＰＤＣＣＨの受信処理（モニタ）を行なわず、ＰＤＣＣＨを用いて下りリンクグラント以外の下りリンク制御情報（例えば、ＤＣＩフォーマット３）の受信処理（モニタ）を行なってもよい。ＰＤＣＣＨはフレキシブルサブフレームの１番目のシンボルから配置され、ＳＲＳはフレキシブルサブフレームの最後のシンボルに配置されるため、ＰＤＣＣＨおよびＳＲＳが配置されないシンボルがＧＰの機能を果たす。つまり、移動局装置１は、フレキシブルサブフレームにおいてＰＵＳＣＨの送信をスケジュールされずにＳＲＳの送信をスケジュールされた場合、該フレキシブルサブフレームを上りリンク送信のためにリザーブされるフィールドと下りリンク送信のためにリザーブされるフィールドを含むサブフレームとみなしてもよい。
【００８７】
以下、本実施形態の装置構成について説明する。
【００８８】
図７は、本実施形態の移動局装置１の構成を示す概略ブロック図である。図示するように、移動局装置１は、上位層処理部１０１、制御部１０３、受信部１０５、送信部１０７と送受信アンテナ１０９を含んで構成される。また、上位層処理部１０１は、無線リソース制御部１０１１、スケジューリング情報解釈部１０１３とサブフレーム設定部１０１５を含んで構成される。また、受信部１０５は、復号化部１０５１、復調部１０５３、多重分離部１０５５、無線受信部１０５７とチャネル測定部１０５９を含んで構成される。また、送信部１０７は、符号化部１０７１、変調部１０７３、多重部１０７５、無線送信部１０７７と上りリンク参照信号生成部１０７９を含んで構成される。
【００８９】
上位層処理部１０１は、ユーザの操作等により生成された上りリンクデータ（トランスポートブロック）を、送信部１０７に出力する。また、上位層処理部１０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【００９０】
上位層処理部１０１が備える無線リソース制御部１０１１は、自装置の各種設定情報の管理をする。また、無線リソース制御部１０１１は、上りリンクの各チャネルに配置される情報を生成し、送信部１０７に出力する。
【００９１】
上位層処理部１０１が備えるスケジューリング情報解釈部１０１３は、受信部１０５を介して受信した物理チャネル（ＰＵＳＣＨやＰＤＳＣＨなど）のスケジューリングに用いられる情報の解釈をし、前記情報を解釈した結果に基づき、受信部１０５、および送信部１０７の制御を行なうために制御情報を生成し、制御部１０３に出力する。
【００９２】
上位層処理部１０１が備えるサブフレーム設定部１０１５は、ｕｐｌｉｎｋ−ｄｏｗｎｌｉｎｋ  ｃｏｎｆｉｇｕｒａｔｉｏｎの管理をする。また、サブフレーム設定部１０１５は、フレキシブルサブフレームにおいて下りリンク受信処理を行うか上りリンク送信処理を行うかを決定する。また、サブフレーム制御部１０１５は、フレキシブルサブフレームにおいてＰＤＣＣＨおよび／またはｅＰＤＣＣＨの受信処理を行うかどうかを決定する。また、サブフレーム制御部１０１５は、フレキシブルサブフレームにおいてＰＤＣＣＨおよび／またはｅＰＤＣＣＨで下りリンクグラントの監視（モニタ）をするかどうかを決定する。
【００９３】
制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。
【００９４】
受信部１０５は、制御部１０３から入力された制御信号に従って、送受信アンテナ１０９を介して基地局装置３から受信した受信信号を、分離、復調、復号し、復号した情報を上位層処理部１０１に出力する。
【００９５】
無線受信部１０５７は、送受信アンテナ１０９を介して受信した下りリンクの信号を、中間周波数に変換し（ダウンコンバート: down covert）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部１０５７は、変換したディジタル信号からガードインターバル（Guard Interval: GI）に相当する部分を除去し、ガードインターバルを除去した信号に対して高速フーリエ変換（Fast Fourier Transform: FFT）を行い、周波数領域の信号を抽出する。
【００９６】
多重分離部１０５５は、抽出した信号をＰＨＩＣＨ、ＰＤＣＣＨ、ｅＰＤＣＣＨ、ＰＤＳＣＨ、および下りリンク参照信号に、それぞれ分離する。また、多重分離部１０５５は、チャネル測定部１０５９から入力された伝搬路の推定値から、ＰＨＩＣＨ、ＰＤＣＣＨ、ｅＰＤＣＣＨ、およびＰＤＳＣＨの伝搬路の補償を行なう。また、多重分離部１０５５は、分離した下りリンク参照信号をチャネル測定部１０５９に出力する。
【００９７】
復調部１０５３は、ＰＨＩＣＨに対して対応する符号を乗算して合成し、合成した信号に対してＢＰＳＫ（Binary Phase Shift Keying）変調方式の復調を行ない、復号化部１０５１へ出力する。復号化部１０５１は、自装置宛てのＰＨＩＣＨを復号し、復号したＨＡＲＱインディケータを上位層処理部１０１に出力する。復調部１０５３は、ＰＤＣＣＨおよび／またはｅＰＤＣＣＨに対して、ＱＰＳＫ変調方式の復調を行ない、復号化部１０５１へ出力する。復号化部１０５１は、ＰＤＣＣＨおよび／またはｅＰＤＣＣＨのブラインドデコーディングを試み、ブラインドデコーディングに成功した場合、復号した下りリンク制御情報と下りリンク制御情報に含まれていたＲＮＴＩを上位層処理部１０１に出力する。
【００９８】
復調部１０５３は、ＰＤＳＣＨに対して、ＱＰＳＫ（Quadrature Phase Shift Keying）、１６ＱＡＭ（Quadrature Amplitude Modulation）、６４ＱＡＭ等の下りリンクグラントで通知された変調方式の復調を行ない、復号化部１０５１へ出力する。復号化部１０５１は、下りリンク制御情報で通知された符号化率に関する情報に基づいて復号を行い、復号した下りリンクデータ（トランスポートブロック）を上位層処理部１０１へ出力する。
【００９９】
チャネル測定部１０５９は、多重分離部１０５５から入力された下りリンク参照信号から下りリンクのパスロスやチャネルの状態を測定し、測定したパスロスやチャネルの状態を上位層処理部１０１へ出力する。また、チャネル測定部１０５９は、下りリンク参照信号から下りリンクの伝搬路の推定値を算出し、多重分離部１０５５へ出力する。
【０１００】
送信部１０７は、制御部１０３から入力された制御信号に従って、上りリンク参照信号を生成し、上位層処理部１０１から入力された上りリンクデータ（トランスポートブロック）を符号化および変調し、ＰＵＣＣＨ、ＰＵＳＣＨ、および生成した上りリンク参照信号を多重し、送受信アンテナ１０９を介して基地局装置３に送信する。
【０１０１】
符号化部１０７１は、上位層処理部１０１から入力された上りリンク制御情報を畳込み符号化、ブロック符号化等の符号化を行う。また、符号化部１０７１は、ＰＵＳＣＨのスケジューリングに用いられる情報に基づきターボ符号化を行なう。
【０１０２】
変調部１０７３は、符号化部１０７１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。変調部１０７３は、ＰＵＳＣＨのスケジューリングに用いられる情報に基づき、空間多重されるデータの系列の数を決定し、ＭＩＭＯ  ＳＭ（Multiple Input Multiple Output Spatial Multiplexing）を用いることにより同一のＰＵＳＣＨで送信される複数の上りリンクデータを、複数の系列にマッピングし、この系列に対してプレコーディング（precoding）を行なう。
【０１０３】
上りリンク参照信号生成部１０７９は、基地局装置３を識別するための物理セル識別子（physical cell identity: PCI、Cell IDなどと称する。）、上りリンク参照信号を配置する帯域幅、上りリンクグラントで通知されたサイクリックシフト、ＤＭＲＳシーケンスの生成に対するパラメータの値などを基に、予め定められた規則で求まる系列を生成する。多重部１０７５は、制御部１０３から入力された制御信号に従って、ＰＵＳＣＨの変調シンボルを並列に並び替えてから離散フーリエ変換（Discrete Fourier Transform: DFT）する。また、多重部１０７５は、ＰＵＣＣＨとＰＵＳＣＨの信号と生成した上りリンク参照信号を送信アンテナポート毎に多重する。つまり、多重部１０７５は、ＰＵＣＣＨとＰＵＳＣＨの信号と生成した上りリンク参照信号を送信アンテナポート毎にリソースエレメントに配置する。
【０１０４】
無線送信部１０７７は、多重された信号を逆高速フーリエ変換（Inverse Fast Fourier Transform: IFFT）して、ＳＣ−ＦＤＭＡ方式の変調を行い、ＳＣ−ＦＤＭＡ変調されたＳＣ−ＦＤＭＡシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ１０９に出力して送信する。
【０１０５】
図８は、本実施形態の基地局装置３の構成を示す概略ブロック図である。図示するように、基地局装置３は、上位層処理部３０１、制御部３０３、受信部３０５、送信部３０７、および、送受信アンテナ３０９、を含んで構成される。また、上位層処理部３０１は、無線リソース制御部３０１１、スケジューリング部３０１３と制御情報生成部３０１５とを含んで構成される。また、受信部３０５は、復号化部３０５１、復調部３０５３、多重分離部３０５５、無線受信部３０５７とチャネル測定部３０５９を含んで構成される。また、送信部３０７は、符号化部３０７１、変調部３０７３、多重部３０７５、無線送信部３０７７と下りリンク参照信号生成部３０７９を含んで構成される。
【０１０６】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部３０１は、受信部３０５、および送信部３０７の制御を行なうために制御情報を生成し、制御部３０３に出力する。
【０１０７】
上位層処理部３０１が備える無線リソース制御部３０１１は、下りリンクのＰＤＳＣＨに配置される下りリンクデータ（トランスポートブロック）、ＲＲＣシグナル、ＭＡＣ  ＣＥ（Control Element）を生成し、又は上位ノードから取得し、送信部３０７に出力する。また、無線リソース制御部３０１１は、移動局装置１各々の各種設定情報の管理をする。無線リソース制御部３０１１は、移動局装置１各々のｕｐｌｉｎｋ−ｄｏｗｎｌｉｎｋ  ｃｏｎｆｉｇｕｒａｔｉｏｎの管理をする。
【０１０８】
上位層処理部３０１が備えるスケジューリング部３０１３は、チャネル測定部３０５９から入力された伝搬路の推定値やチャネルの品質などから、物理チャネル（ＰＤＳＣＨおよびＰＵＳＣＨ）を割り当てる周波数およびサブフレーム、物理チャネル（ＰＤＳＣＨおよびＰＵＳＣＨ）の符号化率および変調方式および送信電力などを決定する。スケジューリング部３０１３は、フレキシブルサブフレームにおいて下りリンク物理チャネルおよび／または下りリンク物理信号をスケジュールするか、上りリンク物理チャネルおよび／または上りリンク物理信号をスケジュールするかを決定する。スケジューリング部３０１３は、スケジューリング結果に基づき、受信部３０５、および送信部３０７の制御を行なうために制御情報を生成し、制御部３０３に出力する。また、スケジューリング部３０１３は、物理チャネル（ＰＤＳＣＨおよびＰＵＳＣＨ）のスケジューリング結果を制御情報生成部３０１５へ出力する。
【０１０９】
制御情報生成部３０１５は、スケジューリング部３０１３から入力されたスケジューリング結果に基づき、物理チャネル（ＰＤＳＣＨおよびＰＵＳＣＨ）のスケジューリングに用いられる情報を生成する。また、制御情報生成部３０１５は、第１の情報、第２の情報、第３の情報、第４の情報、第５の情報、および／または第６の情報などを生成する。また、制御情報生成部３０１５は、生成した情報を送信部３０７へ出力する。
【０１１０】
制御部３０３は、上位層処理部３０１からの制御情報に基づいて、受信部３０５、および送信部３０７の制御を行なう制御信号を生成する。制御部３０３は、生成した制御信号を受信部３０５、および送信部３０７に出力して受信部３０５、および送信部３０７の制御を行なう。
【０１１１】
受信部３０５は、制御部３０３から入力された制御信号に従って、送受信アンテナ３０９を介して移動局装置１から受信した受信信号を分離、復調、復号し、復号した情報を上位層処理部３０１に出力する。無線受信部３０５７は、送受信アンテナ３０９を介して受信された上りリンクの信号を、中間周波数に変換し（ダウンコンバート: down covert）、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。
【０１１２】
無線受信部３０５７は、変換したディジタル信号からガードインターバル（Guard Interval: GI）に相当する部分を除去する。無線受信部３０５７は、ガードインターバルを除去した信号に対して高速フーリエ変換（Fast Fourier Transform: FFT）を行い、周波数領域の信号を抽出し多重分離部３０５５に出力する。
【０１１３】
多重分離部１０５５は、無線受信部３０５７から入力された信号をＰＵＣＣＨ、ＰＵＳＣＨ、上りリンク参照信号などの信号に分離する。尚、この分離は、予め基地局装置３が無線リソース制御部３０１１で決定し、各移動局装置１に通知した上りリンクグラントに含まれる無線リソースの割り当て情報に基づいて行なわれる。また、多重分離部３０５５は、チャネル測定部３０５９から入力された伝搬路の推定値から、ＰＵＣＣＨとＰＵＳＣＨの伝搬路の補償を行なう。また、多重分離部３０５５は、分離した上りリンク参照信号をチャネル測定部３０５９に出力する。
【０１１４】
復調部３０５３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ（Binary Phase Shift Keying）、ＱＰＳＫ、１６ＱＡＭ、６４ＱＡＭ等の予め定められた、または自装置が移動局装置１各々に上りリンクグラントで予め通知した変調方式を用いて受信信号の復調を行なう。復調部３０５３は、移動局装置１各々に上りリンクグラントで予め通知した空間多重される系列の数と、この系列に対して行なうプリコーディングを指示する情報に基づいて、ＭＩＭＯ  ＳＭを用いることにより同一のＰＵＳＣＨで送信された複数の上りリンクデータの変調シンボルを分離する。
【０１１５】
復号化部３０５１は、復調されたＰＵＣＣＨとＰＵＳＣＨの符号化ビットを、予め定められた符号化方式の、予め定められた、又は自装置が移動局装置１に上りリンクグラントで予め通知した符号化率で復号を行ない、復号した上りリンクデータと、上りリンク制御情報を上位層処理部１０１へ出力する。ＰＵＳＣＨが再送信の場合は、復号化部３０５１は、上位層処理部３０１から入力されるＨＡＲＱバッファに保持している符号化ビットと、復調された符号化ビットを用いて復号を行なう。チャネル測定部３０９は、多重分離部３０５５から入力された上りリンク参照信号から伝搬路の推定値、チャネルの品質などを測定し、多重分離部３０５５および上位層処理部３０１に出力する。
【０１１６】
送信部３０７は、制御部３０３から入力された制御信号に従って、下りリンク参照信号を生成し、上位層処理部３０１から入力されたＨＡＲＱインディケータ、下りリンク制御情報、下りリンクデータを符号化、および変調し、ＰＨＩＣＨ、ＰＤＣＣＨ、ｅＰＤＣＣＨ、ＰＤＳＣＨ、および下りリンク参照信号を多重して、送受信アンテナ３０９を介して移動局装置１に信号を送信する。
【０１１７】
符号化部３０７１は、上位層処理部３０１から入力されたＨＡＲＱインディケータ、下りリンク制御情報、および下りリンクデータを、ブロック符号化、畳込み符号化、ターボ符号化等の予め定められた符号化方式を用いて符号化を行なう、または無線リソース制御部３０１１が決定した符号化方式を用いて符号化を行なう。変調部３０７３は、符号化部３０７１から入力された符号化ビットをＢＰＳＫ、ＱＰＳＫ、１６ＱＡＭ、６４ＱＡＭ等の予め定められた、または無線リソース制御部３０１１が決定した変調方式で変調する。
【０１１８】
下りリンク参照信号生成部３０７９は、基地局装置３を識別するための物理セル識別子（ＰＣＩ）などを基に予め定められた規則で求まる、移動局装置１が既知の系列を下りリンク参照信号として生成する。多重部３０７５は、変調された各チャネルの変調シンボルと生成された下りリンク参照信号を多重する。つまり、多重部３０７５は、変調された各チャネルの変調シンボルと生成された下りリンク参照信号をリソースエレメントに配置する。
【０１１９】
無線送信部３０７７は、多重された変調シンボルなどを逆高速フーリエ変換（Inverse Fast Fourier Transform: IFFT）して、ＯＦＤＭ方式の変調を行い、ＯＦＤＭ変調されたＯＦＤＭシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ３０９に出力して送信する。
【０１２０】
以下、第１の実施形態から第５の実施形態において、フレキシブルサブフレームの効率的な設定および再設定の手順について説明する。第１の実施形態、第２の実施形態、および第５の実施形態では、フレキシブルサブフレームの初期設定手順について説明する。第３の実施形態、第４の実施形態では、フレキシブルサブフレームの再設定手順について説明する。
【０１２１】
以下、本発明の第１の実施形態について説明する。
【０１２２】
第１の実施形態において、基地局装置３は、システムインフォメーションブロックタイプ１メッセージを繰り返し報知（送信）する。システムインフォメーションブロックタイプ１メッセージは、少なくとも以下の情報を含む。
・無線フレーム内における下りリンクサブフレーム、上りリンクサブフレーム、およびスペシャルサブフレームの配置を指示する第１の情報（TDD-Config）
・スペシャルサブフレームの構成（ＤｗＰＴＳ、ＧＰ、およびＵｐＰＴＳの長さ）を示す情報
・システムインフォメーションブロックタイプｘを送信するシステムインフォメーションメッセージのスケジューリングに関する情報
【０１２３】
システムインフォメーションブロックタイプ１は、SFN mod 2 = 0を満たす無線フレームのサブフレーム５において送信される。SFN（system frame number）は、無線フレームの番号である。
【０１２４】
基地局装置３は、システムインフォメーションブロックタイプｘを送信するシステムインフォメーションメッセージを繰り返し報知（送信）する。システムインフォメーションメッセージは、少なくとも以下の情報を含む。
・無線フレーム内における下りリンクサブフレーム、上りリンクサブフレーム、スペシャルサブフレーム、およびフレキシブルサブフレームの配置を指示する第２の情報（TDD-Config-vx）
【０１２５】
無線フレームにおけるサブフレームの構成をｕｐｌｉｎｋ−ｄｏｗｎｌｉｎｋ  ｃｏｎｆｉｇｕｒａｔｉｏｎと称する。システムインフォメーションブロックは、複数の移動局装置１が受信するメッセージである。つまり、システムインフォメーションブロックは、セル固有の情報である。システムインフォメーションブロックは、ＰＤＳＣＨによって伝送される。
【０１２６】
図９は、第１の実施形態の第１の情報が示すｕｐｌｉｎｋ−ｄｏｗｎｌｉｎｋ  ｃｏｎｆｉｇｕｒａｔｉｏｎの一例を示す表である。図１０は、第１の実施形態の第２の情報が示すｕｐｌｉｎｋ−ｄｏｗｎｌｉｎｋ  ｃｏｎｆｉｇｕｒａｔｉｏｎの一例を示す表である。図９および図１０において、Dは下りリンクサブフレームを示し、Ｕは上りリンクサブフレームを示し、Ｓはスペシャルサブフレームを示し、Ｆはフレキシブルサブフレームを示す。
【０１２７】
図１１は、第１の実施形態における移動局装置１の動作の一例を示す図である。最初に、ダイナミックＴＤＤをサポートする移動局装置１は、SFN mod 2 = 0を満たす無線フレームのサブフレーム５において第１の情報を受信し、受信した第１の情報に基づいてｕｐｌｉｎｋ−ｄｏｗｎｌｉｎｋ  ｃｏｎｆｉｇｕｒａｔｉｏｎをセットする（ステップＳ１１００）。ダイナミックＴＤＤをサポートする移動局装置１は、第１の情報に基づいて下りリンクサブフレームと判断したサブフレームにおいて第２の情報の受信し、受信した第２の情報に基づいてｕｐｌｉｎｋ−ｄｏｗｎｌｉｎｋ  ｃｏｎｆｉｇｕｒａｔｉｏｎをセットし直す（ステップＳ１１０２）。
【０１２８】
尚、ダイナミックＴＤＤをサポートしない移動局装置１は、第１の情報に基づいてｕｐｌｉｎｋ−ｄｏｗｎｌｉｎｋ  ｃｏｎｆｉｇｕｒａｔｉｏｎをセットした後に、第２の情報を受信しなくてもよい、または、第２の情報に基づいてｕｐｌｉｎｋ−ｄｏｗｎｌｉｎｋ  ｃｏｎｆｉｇｕｒａｔｉｏｎをセットしなくてもよい。
【０１２９】
移動局装置１は、ダイナミックＴＤＤの機能をサポートしているかどうかを指示する機能情報を基地局装置３に送信してもよい。ダイナミックＴＤＤをサポートする移動局装置１は、ダイナミックＴＤＤをサポートしていることを指示する該機能情報を基地局装置３に送信してもよい。ダイナミックＴＤＤをサポートしていない移動局装置１は、ダイナミックＴＤＤをサポートしていないことを指示する該機能情報を基地局装置３に送信してもよい、または、該機能情報を基地局装置３に送信しなくてもよい。
【０１３０】
機能情報を、ＵＥ  ｃａｐａｂｉｌｉｔｙ  ｂｉｔまたはＵＥ  ｃａｐａｂｉｌｉｔｙ  ｉｎｆｏｒｍａｔｉｏｎとも称する。
【０１３１】
基地局装置３は、ダイナミックＴＤＤをサポートしていることを指示する該機能情報を受信した場合は、移動局装置１は第２の情報に基づいてｕｐｌｉｎｋ−ｄｏｗｎｌｉｎｋ  ｃｏｎｆｉｇｕｒａｔｉｏｎをセットしていると判断する。基地局装置３は、ダイナミックＴＤＤをサポートしていないことを指示する該機能情報を受信した場合、または、該機能情報を受信していない場合は、移動局装置１は、第１の情報に基づいてｕｐｌｉｎｋ−ｄｏｗｎｌｉｎｋ  ｃｏｎｆｉｇｕｒａｔｉｏｎをセットしていると判断する。
【０１３２】
尚、基地局装置３は、ダイナミックＴＤＤを適用していない場合は、第２の情報を送信しなくてもよい。つまり、基地局装置３は、無線フレーム内にフレキシブルサブフレームが含まれない場合は、第２の情報を送信しなくてもよい。
【０１３３】
これにより、基地局装置３は、ダイナミックＴＤＤをサポートしている移動局装置１、およびダイナミックＴＤＤをサポートしていない移動局装置１の両方と効率的に通信することができる。
【０１３４】
以下、本発明の第２の実施形態について説明する。
【０１３５】
第２の実施形態において、基地局装置３は、第１の情報および第２の情報に加えて、第３の情報を繰り返し報知（送信）する。第３の情報は、基地局装置３が第２の情報（システムインフォメーションブロックタイプｘ）をシステムインフォメーションメッセージを介して報知しているかどうかを指示する。つまり、第３の情報は、基地局装置３がダイナミックＴＤＤを適用しているかどうかを指示する。第３の情報は、１ビットである。
【０１３６】
尚、第３の情報は、基地局装置３が第２の情報を報知していないことを指示できなくてもよい。この場合、第２の情報を報知していない基地局装置３は、第３の情報を送信しない。これにより、下りリンク信号のオーバーヘッドを減らすことができる。
【０１３７】
尚、第３の情報は、ＲＲＣ（Radio Resource Control）層のメッセージ、または、ＭＡＣ（Medium Access Control）ＣＥ（Control Element）、または、物理層の下りリンク制御情報に含まれてもよい。尚、第３の情報は、ＰＢＣＨ、ｅＰＤＣＣＨ、ＰＤＣＣＨまたはＰＤＳＣＨによって伝送されてもよい。
【０１３８】
図１２は、第２の実施形態における移動局装置１の動作の一例を示す図である。最初に、ダイナミックＴＤＤをサポートする移動局装置１は、SFN mod 2 = 0を満たす無線フレームのサブフレーム５において第１の情報を受信し、受信した第１の情報に基づいてｕｐｌｉｎｋ−ｄｏｗｎｌｉｎｋ  ｃｏｎｆｉｇｕｒａｔｉｏｎをセットする（ステップＳ１２００）。ダイナミックＴＤＤをサポートする移動局装置１は、ダイナミックＴＤＤをサポートしていることを指示する機能情報を基地局装置３に送信する（ステップＳ１２０２）。ダイナミックＴＤＤをサポートする移動局装置１は、該第３の情報の受信を試みる（ステップＳ１２０４）。ダイナミックＴＤＤをサポートする移動局装置１は、基地局装置３が第２の情報を報知していることを指示する該第３の情報を受信した場合は（ステップＳ１２０４−Ｙｅｓ）、第２の情報の受信をし、受信した第２の情報に基づいてｕｐｌｉｎｋ−ｄｏｗｎｌｉｎｋ  ｃｏｎｆｉｇｕｒａｔｉｏｎをセットし直す（ステップＳ１２０６）。
【０１３９】
ダイナミックＴＤＤをサポートする移動局装置１は、基地局装置３が第２の情報を報知していないことを指示する該第３の情報を受信した場合、または、該第３の情報を受信していない場合は（ステップＳ１２０４−Ｎｏ）、第２の情報を受信しなくてもよい、または、第２の情報に基づいてｕｐｌｉｎｋ−ｄｏｗｎｌｉｎｋ  ｃｏｎｆｉｇｕｒａｔｉｏｎをセットしなくてもよい。基地局装置３が第２の情報を報知していないことを指示する該第３の情報を受信した場合、または、該第３の情報を受信していない場合は、受信部１０５は第２の情報を受信しなくてもよい、および／または、受信部１０５は第２の情報をサブフレーム設定部１０１５に出力しなくてもよい、および／または、サブフレーム設定部１０１５は第２の情報に基づいてｕｐｌｉｎｋ−ｄｏｗｎｌｉｎｋ  ｃｏｎｆｉｇｕｒａｔｉｏｎをセットし直さなくてもよい。
【０１４０】
例えば、ダイナミックＴＤＤを適用している基地局装置３は、ダイナミックＴＤＤをサポートしていることを指示する機能情報を受信した場合は、基地局装置３が第２の情報を報知していることを指示する第３の情報を送信する。例えば、ダイナミックＴＤＤを適用している基地局装置３は、ダイナミックＴＤＤをサポートしていないことを指示する機能情報を受信した場合、または、機能情報を受信していない場合は、移動局装置１に第３の情報を送信しない。
【０１４１】
尚、ダイナミックＴＤＤを適用していない基地局装置３は、第２の情報および／または第３の情報を送信しなくてもよい。つまり、基地局装置３は、無線フレーム内にフレキシブルサブフレームが含まれない場合は、第２の情報および／または第３の情報を送信しなくてもよい。
【０１４２】
これにより、ダイナミックＴＤＤをサポートする移動局装置１は、１ビットの第３の情報に基づいて第２の情報を含むシステムインフォメーションブロックタイプｘを送信するシステムインフォメーションメッセージの受信を試みるかどうかを判断でき、移動局装置１の受信処理の負荷を減らすことができる。
【０１４３】
以下、本発明の第３の実施形態について説明する。
【０１４４】
第３の実施形態では、フレキシブルサブフレームを含むｕｐｌｉｎｋ−ｄｏｗｎｌｉｎｋ  ｃｏｎｆｉｇｕｒａｔｉｏｎの再設定手順について説明する。第３の実施形態は、第１の実施形態および第２の実施形態に適用できる。
【０１４５】
第３の実施形態において、基地局装置３は、システムインフォメーションブロックタイプ１メッセージ、およびシステムインフォメーションブロックタイプｘを送信するシステムインフォメーションメッセージを繰り返し送信する。第３の実施形態では、システムインフォメーションブロックタイプ１メッセージは、少なくとも以下の情報を含む。
・無線フレーム内における下りリンクサブフレーム、上りリンクサブフレーム、およびスペシャルサブフレームの配置を指示する第１の情報
・第２の情報において変更が発生したかどうかを指示する第４の情報（systemInfoValueTag）
・スペシャルサブフレームの構成（ＤｗＰＴＳ、ＧＰ、およびＵｐＰＴＳの長さ）を示す情報
・システムインフォメーションブロックタイプｘを送信するシステムインフォメーションメッセージのスケジューリングに関する情報
【０１４６】
基地局装置３は、第２の情報において変更が発生していない場合は、同じ値がセットされた第４の情報を繰り返し送信する。基地局装置３は、第２の情報において変更が発生した場合は、セットされていた値よりも１つ大きい値を第４の情報にセットする。例えば、第４の情報は０から３１までの値がセットされる。例えば、第４の情報に３１がセットされており、そして、第２の情報に変更が発生した場合は、基地局装置３は、第４の情報に０をセットする。
【０１４７】
図１３は、第３の実施形態における移動局装置１の動作の一例を示す図である。最初に、ダイナミックＴＤＤをサポートする移動局装置１は、SFN mod 2 = 0を満たす無線フレームのサブフレーム５において第１の情報と第４の情報を含むシステムインフォメーションブロックタイプ１メッセージを受信し、受信した第１の情報に基づいてｕｐｌｉｎｋ−ｄｏｗｎｌｉｎｋ  ｃｏｎｆｉｇｕｒａｔｉｏｎをセットし、受信した第４の情報の値を記憶する（ステップＳ１３００）。ダイナミックＴＤＤをサポートする移動局装置１は、第１の情報に基づいて下りリンクサブフレームと判断したサブフレームにおいて第２の情報の受信し、受信した第２の情報に基づいてｕｐｌｉｎｋ−ｄｏｗｎｌｉｎｋ  ｃｏｎｆｉｇｕｒａｔｉｏｎをセットし直す（ステップＳ１３０２）。
【０１４８】
ダイナミックＴＤＤをサポートする移動局装置１は、システムインフォメーションブロックタイプ１メッセージを繰り返し受信し、受信した第４の情報の値と記憶した値が異なるかどうかを判断する（ステップＳ１３０４）。ステップＳ１３０４で受信した第４の情報の値とステップＳ１３０２で記憶した第４の情報の値が異なる場合は（ステップＳ１３０６−Ｙｅｓ）、（ａ）ステップＳ１３０４で受信した第４の情報の値を新たに記憶し、（ｂ）第２の情報の受信を試み、（ｃ）第１の情報に基づいて下りリンクサブフレームと判断したサブフレームにおいて第２の情報の受信を完了したときに、記憶している第２の情報（第２の情報に基づいてセットしたｕｐｌｉｎｋ−ｄｏｗｎｌｉｎｋ  ｃｏｎｆｉｇｕｒａｔｉｏｎ）を無効とみなし、受信した第２の情報に基づいてｕｐｌｉｎｋ−ｄｏｗｎｌｉｎｋ  ｃｏｎｆｉｇｕｒａｔｉｏｎをセットし直す（ステップＳ１３０６）。
【０１４９】
これにより、フレキシブルサブフレームを含むｕｐｌｉｎｋ−ｄｏｗｎｌｉｎｋ  ｃｏｎｆｉｇｕｒａｔｉｏｎを効率的に再設定することができる。
【０１５０】
以下、本発明の第４の実施形態について説明する。
【０１５１】
第４の実施形態では、フレキシブルサブフレームを含むｕｐｌｉｎｋ−ｄｏｗｎｌｉｎｋ  ｃｏｎｆｉｇｕｒａｔｉｏｎの再設定手順について説明する。第４の実施形態は、第１の実施形態および第２の実施形態に適用できる。
【０１５２】
第３の実施形態において、基地局装置３は、システムインフォメーションブロックタイプ１メッセージ、システムインフォメーションブロックタイプｘを送信するシステムインフォメーションメッセージ、および第５の情報（systemInfoModification）を送信する。第５の情報は、第２の情報に変更が発生したことを指示する。尚、第５の情報は、第２の情報に変更が発生したことを指示できなくてもよい。第５の情報は、ページングメッセージに含まれてもよい。
【０１５３】
基地局装置３は、第２の情報に変更が発生した場合は、第５の情報を送信する。移動局装置３は、第５の情報を受信した場合は、第２の情報の受信を試み、受信した第２の情報に基づいてｕｐｌｉｎｋ−ｄｏｗｎｌｉｎｋ  ｃｏｎｆｉｇｕｒａｔｉｏｎをセットし直す。
【０１５４】
図１４は、第４の実施形態における移動局装置１の動作の一例を示す図である。最初に、ダイナミックＴＤＤをサポートする移動局装置１は、SFN mod 2 = 0を満たす無線フレームのサブフレーム５において第１の情報を受信し、受信した第１の情報に基づいてｕｐｌｉｎｋ−ｄｏｗｎｌｉｎｋ  ｃｏｎｆｉｇｕｒａｔｉｏｎをセットする（ステップＳ１４００）。ダイナミックＴＤＤをサポートする移動局装置１は、第１の情報に基づいて下りリンクサブフレームと判断したサブフレームにおいて第２の情報の受信し、受信した第２の情報に基づいてｕｐｌｉｎｋ−ｄｏｗｎｌｉｎｋ  ｃｏｎｆｉｇｕｒａｔｉｏｎをセットし直す（ステップＳ１４０２）。
【０１５５】
ダイナミックＴＤＤをサポートする移動局装置１は、第２の情報に変更が発生したことを指示する第５の情報を含むページングメッセージを受信した場合は（ステップS１４０４−Ｙｅｓ）、第２の情報を受信し、受信した第２の情報に基づいてｕｐｌｉｎｋ−ｄｏｗｎｌｉｎｋ  ｃｏｎｆｉｇｕｒａｔｉｏｎをセットし直す。例えば、移動局装置１は、第５の情報をページングメッセージから受信する。
【０１５６】
これにより、フレキシブルサブフレームを含むｕｐｌｉｎｋ−ｄｏｗｎｌｉｎｋ  ｃｏｎｆｉｇｕｒａｔｉｏｎを効率的に再設定することができる。
【０１５７】
以下、本発明の第５の実施形態について説明する。
【０１５８】
第５の実施形態では、フレキシブルサブフレームを含むｕｐｌｉｎｋ−ｄｏｗｎｌｉｎｋ  ｃｏｎｆｉｇｕｒａｔｉｏｎの初期設定手順について説明する。
【０１５９】
第５の実施形態において、基地局装置３は、システムインフォメーションブロックタイプ１メッセージ、および第６の情報を送信する。第６の情報は、フレキシブルサブフレームが有効であるかどうかを指示する。第６の情報は、フレキシブルサブフレームを活性化（activated）するかどうかを指示する情報と表現することもできる。第６の情報は１ビットである。尚、フレキシブルサブフレームのデフォルト設定は無効である。
【０１６０】
尚、第６の情報は、ＲＲＣ層のメッセージ、または、ＭＡＣ  ＣＥ、または、物理層の下りリンク制御情報に含まれてもよい。尚、第３の情報は、ＰＢＣＨ、ｅＰＤＣＣＨ、ＰＤＣＣＨまたはＰＤＳＣＨによって伝送されてもよい。尚、第３の情報は、コモンサーチスペースに配置されるｅＰＤＣＣＨまたはＰＤＣＣＨによって伝送されてもよい。ｅＰＤＣＣＨに対するコモンサーチスペースと、ＰＤＣＣＨに対するコモンサーチスペースは異なるリソースから構成される。コモンサーチスペースは、複数の移動局装置１がｅＰＤＣＣＨ／ＰＤＣＣＨをモニタするリソースである。また、複数の移動局装置１を対象とするｅＰＤＣＣＨ／ＰＤＣＣＨおよび単一の移動局装置１を対象とするｅＰＤＣＣＨ／ＰＤＣＣＨが、コモンサーチスペースに配置される。
【０１６１】
基地局装置３は、特定の移動局装置１のみに第６の情報を送信してもよい。つまり、第６の情報は、移動局装置固有のパラメータであってもよい。これにより、基地局装置３は、ダイナミックＴＤＤをサポートする移動局装置１の一部のみにダイナミックＴＤＤを適用することができる。
【０１６２】
図１５は、第５の実施形態における移動局装置１の動作の一例を示す図である。最初に、ダイナミックＴＤＤをサポートする移動局装置１は、SFN mod 2 = 0を満たす無線フレームのサブフレーム５において第１の情報を受信し、受信した第１の情報に基づいてｕｐｌｉｎｋ−ｄｏｗｎｌｉｎｋ  ｃｏｎｆｉｇｕｒａｔｉｏｎをセットする（ステップＳ１５００）。
【０１６３】
ダイナミックＴＤＤをサポートする移動局装置１は、第１の情報に基づいて下りリンクサブフレームと判断したサブフレームにおいて、フレキシブルサブフレームが有効であることを指示する第６の情報を受信した場合は、ステップＳ１５００において設定したｕｐｌｉｎｋ−ｄｏｗｎｌｉｎｋ  ｃｏｎｆｉｇｕｒａｔｉｏｎにおいて特定の番号の上りリンクサブフレームをフレキシブルサブフレームにセットし直す（ステップＳ１５０２）。つまり、ダイナミックＴＤＤをサポートする移動局装置１は、フレキシブルサブフレームが有効であることを指示する第６の情報を受信した場合は、無線フレーム内の特定の番号の上りリンクサブフレームをフレキシブルサブフレームにセットし直す。
【０１６４】
例えば、特定の番号は、｛３、４、８、９｝、または｛３、４、８｝である。尚、第６の情報は、前記特定の番号を指示してもよい。または、第６の情報は、前記特定の番号を指示する情報を含んでもよい。
【０１６５】
ダイナミックＴＤＤをサポートする移動局装置１は、フレキシブルサブフレームが無効であることを指示する第６の情報を受信した場合は、フレキシブルサブフレームを上りリンクサブフレームにセットし直す（ステップＳ１５０４）。
【０１６６】
尚、第６の情報は、上記特定の番号を除く番号のサブフレームで送信されることが好ましい。または、第６の情報は、無線フレーム内の最初のサブフレームで送信されてもよい。これにより、移動局装置３が、第６の情報の受信に失敗したことを基地局装置３が知らない場合にも、移動局装置３は第６の情報を正しく受信することができる。
【０１６７】
尚、フレキシブルサブフレームの有効を設定している移動局装置１は、フレキシブルサブフレームが有効であることを指示する第６の情報に基づいて、ｕｐｌｉｎｋ−ｄｏｗｎｌｉｎｋ  ｃｏｎｆｉｇｕｒａｔｉｏｎをセットし直さなくてもよい。尚、フレキシブルサブフレームの無効を設定している移動局装置１は、フレキシブルサブフレームが無効であることを指示する第６の情報に基づいて、ｕｐｌｉｎｋ−ｄｏｗｎｌｉｎｋ  ｃｏｎｆｉｇｕｒａｔｉｏｎをセットし直さなくてもよい。
【０１６８】
尚、移動局装置１は、第６の情報を受信した無線フレームの次の無線フレームに対して、第６の情報に基づいてｕｐｌｉｎｋ−ｄｏｗｎｌｉｎｋ  ｃｏｎｆｉｇｕｒａｔｉｏｎをセットし直してもよい。この場合、基地局装置３は、無線フレーム内の上記特定の番号よりも小さい番号のサブフレームで第６の情報を送信することが好ましい。
【０１６９】
尚、移動局装置１は、第６の情報を受信した無線フレームの次の無線フレームに対して、第６の情報に基づいてｕｐｌｉｎｋ−ｄｏｗｎｌｉｎｋ  ｃｏｎｆｉｇｕｒａｔｉｏｎをセットし直してもよい。この場合、基地局装置３は、無線フレーム内の上記特定の番号よりも小さい番号のサブフレームで第６の情報を送信する必要はない。
【０１７０】
尚、ダイナミックＴＤＤをサポートする移動局装置１は、フレキシブルサブフレームが有効であることを指示する第６の情報を受信した場合は、無線フレーム内の特定の番号の下りリンクサブフレームをフレキシブルサブフレームにセットし直してもよい。
【０１７１】
図１６は、第５の実施形態におけるｕｐｌｉｎｋ−ｄｏｗｎｌｉｎｋ  ｃｏｎｆｉｇｕｒａｔｉｏｎの一例を示す図である。図１６において、Dは下りリンクサブフレームを示し、Ｕは上りリンクサブフレームを示し、Ｓはスペシャルサブフレームを示し、Ｆはフレキシブルサブフレームを示す。図１６において、ダイナミックＴＤＤをサポートする移動局装置１は、フレキシブルサブフレームが有効であることを指示する第６の情報を受信した場合は、無線フレーム内の｛３、４、８、９｝の上りリンクサブフレームをフレキシブルサブフレームにセットし直す。
【０１７２】
例えば、図１６において、ｕｐｌｉｎｋ−ｄｏｗｎｌｉｎｋ  ｃｏｎｆｉｇｕｒａｔｉｏｎ  ０を設定している移動局装置が、フレキシブルサブフレームが有効であることを指示する第６の情報を受信した場合、移動局装置は無線フレームが｛ＤＳＵＦＦＤＳＵＦＦ｝のサブフレームから構成されているとみなす。
【０１７３】
これにより、フレキシブルサブフレームを含むｕｐｌｉｎｋ−ｄｏｗｎｌｉｎｋ  ｃｏｎｆｉｇｕｒａｔｉｏｎを効率的に設定することができる。
【０１７４】
本発明に関わる基地局装置３、および移動局装置１で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【０１７５】
尚、上述した実施形態における移動局装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０１７６】
尚、ここでいう「コンピュータシステム」とは、移動局装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１７７】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１７８】
また、上述した実施形態における移動局装置１、基地局装置３の一部、又は全部を典型的には集積回路であるＬＳＩとして実現してもよいし、チップセットとして実現してもよい。移動局装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０１７９】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【０１８０】
１（１Ａ、１Ｂ、１Ｃ）  移動局装置
３  基地局装置
１０１  上位層処理部
１０３  制御部
１０５  受信部
１０７  送信部
３０１  上位層処理部
３０３  制御部
３０５  受信部
３０７  送信部
１０１１  無線リソース制御部
１０１３  スケジューリング情報解釈部
１０１５  サブフレーム設定部
３０１１  無線リソース制御部
３０１３  スケジューリング部
３０１５  制御情報生成部
【図１】
2014033326.tif 000003
【図２】
2014033326.tif 000004
【図３】
2014033326.tif 000005
【図４】
2014033326.tif 000006
【図５】
2014033326.tif 000007
【図６】
2014033326.tif 000008
【図７】
2014033326.tif 000009
【図８】
2014033326.tif 000010
【図９】
2014033326.tif 000011
【図１０】
2014033326.tif 000012
【図１１】
2014033326.tif 000013
【図１２】
2014033326.tif 000014
【図１３】
2014033326.tif 000015
【図１４】
2014033326.tif 000016
【図１５】
2014033326.tif 000017
【図１６】
2014033326.tif 000018